(57)【特許請求の範囲】
【請求項１】
エレベータ制御盤に設けられた閉じ込め検出装置と、
エレベータのかご内に設けられ、通常は開閉扉で覆われているが、前記閉じ込め検出装置が閉じ込め故障を検出した時、開閉扉を開く電気式人工咽頭収納装置と、
前記電気式人工咽頭収納装置に着脱自在に取り付けられた電気式人工咽頭と、
前記電気式人工咽頭収納装置に設けられた電気式人工咽頭充電器と、
前記電気式人工咽頭収納装置に設けられ、前記電気式人工咽頭が取り外された時に信号を送信する電気式人工咽頭使用中信号送信装置とを備え、
前記閉じ込め検出装置が閉じ込め故障を検出した時、前記電気式人工咽頭収納装置の開閉扉を開くとともに、前記電気式人工咽頭が発声障害者向けの発声装置である旨と、その使用方法をかご内に設けられるディスプレイに表示するか、又はかご内に設けられるスピーカから音声によりガイダンスし、
その後に前記電気式人工咽頭が取り外された時、前記電気式人工咽頭使用中信号送信装置からの信号を受けて点灯される電気式人工咽頭使用中ランプ又は電気式人工咽頭使用中メッセージを外部の管理室端末に設けられた外部インターホンの近傍に表示することを特徴とするエレベータの非常連絡装置。
【請求項２】
請求項１に記載のエレベータの非常連絡装置において、更にエレベータ制御盤に設けられ、前記電気式人工咽頭が取り外された時に信号を外部情報センターに送信する電気式人工咽頭使用中信号送信装置を備え、かご内ディスプレイに表示するか、又はかご内スピーカから音声によりガイダンスした後に前記電気式人工咽頭が取り外された時、エレベータ制御盤に設けられた前記電気式人工咽頭使用中信号送信装置からの信号を受けて点灯される電気式人工咽頭使用中ランプ又は電気式人工咽頭使用中メッセージを外部の情報センターの受信台ディスプレイに表示することを特徴とするエレベータの非常連絡装置。
【発明の詳細な説明】
【技術分野】
【０００１】
この発明は、会話の不自由な発声障害者を対象とするエレベータの非常連絡装置に関するものである。
【背景技術】
【０００２】
従来、エレベータのかご内にて閉じ込めにあった際、乗客はかご内のインターホンを通じて管理室やコールセンター等の外部との連絡が可能になっている。しかし、音声のみによる通信であるため、万一乗客が発声障害者であった場合には、外部との会話が全くできない状況に陥り、相当な不安を与えてしまうことになる。
【０００３】
従来技術として、乗りかご内に監視センターと連絡を取るためのＷｅｂサイトのアドレスを表示する表示プレートと、エレベータを認識するコードを表示する表示プレートを備え、言語・聴覚が不自由な身体障害者が連絡先の表示プレートを見て、乗りかご内から携帯電話などを介してＷｅｂサイトのアドレスにアクセスし、監視センターの管理者に対して、表示プレートに表示された当該エレベータを認識するコードなどを連絡できるエレベータの非常連絡装置が提案されている（例えば、特許文献１参照）。また、他の従来技術として、かご室内通報装置の入力部にはテンキー等が設けられており、このテンキーを操作することにより、任意の文書を作成することができ、会話の不自由な乗客でも、自分の伝えたいことを外部の管理者等に通報することが可能なエレベータの非常連絡装置が提案されている（例えば、特許文献２参照）。  
【先行技術文献】
【特許文献】
【０００４】
【特許文献１】特開２００２−６８６２２号公報
【特許文献２】特開２００５−２１２９１５号公報
【発明の概要】
【発明が解決しようとする課題】
【０００５】
従来技術のエレベータの非常連絡装置では、エレベータのかご内にて閉じ込めにあった非常時、会話の不自由な発声障害者がかご内に閉じ込められた場合でも、外部と連絡できると説明しているが、切迫した緊急状況下では、外部との間で音声による会話のやり取りが全くできないという状況は、発声障害者にとっては相当な不安を与えてしまうことが懸念される。
【０００６】
この発明は、上述のような課題を解決するためになされたもので、エレベータのかご内に電気式人工咽頭を着脱自在に備え付け、電気式人工咽頭を取り外して使用した際に、使用していることが判るように外部に通報するようにしたエレベータの非常連絡装置を提供するものである。
【課題を解決するための手段】
【０００７】
この発明に係るエレベータの非常連絡装置においては、エレベータ制御盤に設けられた閉じ込め検出装置と、エレベータのかご内に設けられ、通常は開閉扉で覆われているが、閉じ込め検出装置が閉じ込め故障を検出した時、開閉扉を開く電気式人工咽頭収納装置と、電気式人工咽頭収納装置に着脱自在に取り付けられた電気式人工咽頭と、電気式人工咽頭収納装置に設けられた電気式人工咽頭充電器と、電気式人工咽頭収納装置に設けられ、電気式人工咽頭が取り外された時に信号を送信する電気式人工咽頭使用中信号送信装置とを備え、閉じ込め検出装置が閉じ込め故障を検出した時、電気式人工咽頭収納装置の開閉扉を開くとともに、電気式人工咽頭が発声障害者向けの発声装置である旨と、その使用方法をかご内に設けられるディスプレイに表示するか、又はかご内に設けられるスピーカから音声によりガイダンスし、その後に電気式人工咽頭が取り外された時、電気式人工咽頭使用中信号送信装置からの信号を受けて点灯される電気式人工咽頭使用中ランプ又は電気式人工咽頭使用中メッセージを外部の管理室端末に設けられた外部インターホンの近傍に表示するものである。
【００１１】
また、更にエレベータ制御盤に設けられ、電気式人工咽頭が取り外された時に信号を外部情報センターに送信する電気式人工咽頭使用中信号送信装置を備え、かご内ディスプレイに表示するか、又はかご内スピーカから音声によりガイダンスした後に電気式人工咽頭が取り外された時、エレベータ制御盤に設けられた電気式人工咽頭使用中信号送信装置からの信号を受けて点灯される電気式人工咽頭使用中ランプ又は電気式人工咽頭使用中メッセージを外部の情報センターの受信台ディスプレイに表示するものである。
【発明の効果】
【００１２】
この発明によれば、閉じ込め故障を検出した時に開閉扉が開かれる電気式人工咽頭収納装置と、着脱自在に取り付けられた電気式人工咽頭と、電気式人工咽頭が取り外された時に信号を送信する電気式人工咽頭使用中信号送信装置とを備え、電気式人工咽頭を取り外して使用した際に、使用していることが判るように外部に通報するようにしたので、発声障害者に対しては、電気式人工咽頭を介しての会話が確実に行われていることを伝え、不安感を大幅に軽減することができるという効果がある。
【図面の簡単な説明】
【００１３】
【図１】この発明の実施例１におけるエレベータの非常連絡装置を示すシステム構成図である。
【図２】この発明の実施例１におけるエレベータの非常連絡装置に用いる電気式人工咽頭器を示す斜視図である。
【図３】この発明の実施例１におけるエレベータの非常連絡装置の動作を説明するためのフローチャートである。
【発明を実施するための形態】
【実施例１】
【００１４】
図１において、１はエレベータのかご、２はかごの出入口を開閉するかごの戸、３はかごの戸２の右側に隣接するかご側壁に設けられたかご操作盤、４はかご操作盤３の最上部に設けられたかご内ディスプレイ、５はかご操作盤３のかご内ディスプレイ４の直下に設けられたかご内スピーカ、６はかご操作盤３のかご内スピーカ５の直下に設けられたかご内インターホン、７はかご操作盤３のほぼ中央部に設けられた電気式人工咽頭収納装置で、通常は開閉扉等で覆われているが、閉じ込め故障が発生した時、閉じ込め信号を検出して開閉扉の電気錠が解除されるようになっている。８は電気式人工咽頭収納装置７内に着脱自在に取り付けられた電気式人工咽頭である。この電気式人工咽頭８は、例えば図２に示すような構造で、小型マイクのような器具の上部の先端部を首の皮膚に密着させ、操作ボタン９を押すことにより、電気的に振動させながら、発声通りに口を動かすことで声を出す発声装置である。１０は電気式人工咽頭収納装置７内に設けられた電気式人工咽頭充電器、１１は電気式人工咽頭収納装置７内に設けられた電気式人工咽頭使用中信号送信装置である。１２はエレベータ制御盤、１３はエレベータ制御盤１２に設けられた電気式人工咽頭使用中信号送信装置、１４はエレベータ制御盤１２に設けられた閉じ込め検出装置、１５は例えば管理室等に設けられた管理室端末、１６は管理室端末１５に設けられた外部インターホン、１７は管理室端末１５の外部インターホン１６の近傍に設けられた電気式人工咽頭使用中ランプ又は電気式人工咽頭使用中メッセージである。ここで、エレベータのかご１内にて閉じ込めが発生すると、エレベータ制御盤１２の閉じ込め検出装置１４が閉じ込め信号を出力し、かご操作盤３の電気式人工咽頭収納装置７の開閉扉の電気錠が解除されて、電気式人工咽頭収納装置７内に設けられた電気式人工咽頭８が発声障害者向けの発声装置である旨と、その使用方法について、かご内ディスプレイ４及びかご内スピーカ５から映像と音声によりガイダンスする。また、１８は外部情報センターに設けられたセンター受信台ディスプレイ、１９はセンター受信台ディスプレイ１８に設けられた電気式人工咽頭使用中メッセージ又は電気式人工咽頭使用中ランプ、２０はセンター受信台ディスプレイ１８に表示される電気式人工咽頭操作方法ガイダンスである。外部情報センターの受信台ディスプレイ１８には、かご操作盤３の電気式人工咽頭収納装置７の開閉扉の電気錠が解除されて、電気式人工咽頭８が取り外されると、電気式人工咽頭使用中メッセージ１９と電気式人工咽頭操作方法ガイダンス２０を映像表示する。
【００１５】
次に、エレベータの非常連絡装置の動作について、図３により説明する。
先ず、エレベータで閉じ込め故障が発生すると（ステップＳ１）、エレベータ制御盤１２の閉じ込め検出装置１４が閉じ込め信号を検出し（ステップＳ２）、かご操作盤３の電気式人工咽頭収納装置７の開閉扉の電気錠が解除される（ステップＳ３）。そして、電気式人工咽頭収納装置７内に設けられた電気式人工咽頭８が発声障害者向けの発声装置である旨と、その使用方法について、かご内ディスプレイ４及びかご内スピーカ５から映像と音声にてガイダンスする（ステップＳ４）。次に、電気式人工咽頭収納装置７内に設けられた電気式人工咽頭８が取り外されたか否かを判断し（ステップＳ５）。ステップＳ５で電気式人工咽頭８が取り外されていれば、電気式人工咽頭使用中信号送信装置１１、１３により電気式人工咽頭使用中信号を外部情報センターへ送信し（ステップＳ６）。更に、電気式人工咽頭使用中信号送信装置１１により電気式人工咽頭使用中信号を現地の管理室端末１５へ送信し（ステップＳ７）、管理室端末１５の外部インターホン１６の近傍に設けられた電気式人工咽頭使用中ランプ１７を点灯して外部インターホン１７による会話を促す。これにより、閉じ込められた乗客が発声障害者である旨、事前の外部情報センターからの通知や現地の管理室端末１５での電気式人工咽頭使用中ランプ１７から判断できるため、救出する保守作業員はかご内状況を詳しく聞けないことを前提とした相応しい救出活動が可能となる。すなわち、発声障害者に対しては、電気式人工咽頭８を介しての会話が確実に行われていることを伝えて、不安感を大幅に軽減することができる。
【符号の説明】
【００１６】
１  エレベータのかご
２  かごの戸
３  かご操作盤
４  かご内ディスプレイ
５  かご内スピーカ
６  かご内インターホン
７  電気式人工咽頭収納装置
８  電気式人工咽頭
９  操作ボタン
１０  電気式人工咽頭充電器
１１  電気式人工咽頭使用中信号送信装置
１２  エレベータ制御盤
１３  電気式人工咽頭使用中信号送信装置
１４  閉じ込め検出装置
１５  管理室端末
１６  外部インターホン
１７  電気式人工咽頭使用中ランプ又は電気式人工咽頭使用中メッセージ
１８  センター受信台ディスプレイ
１９  電気式人工咽頭使用中メッセージ又は電気式人工咽頭使用中ランプ
２０  電気式人工咽頭操作方法ガイダンス
【図１】
0005458873.tif 000002
【図２】
0005458873.tif 000003
【図３】
0005458873.tif 000004